(57)【特許請求の範囲】
【請求項１】
受入ホッパに投入された舗装材を第１ホッパまたは第２ホッパに積み込むチャージングフィーダと、前記第１ホッパまたは第２ホッパの舗装材を機体後方の施工面へ搬送する各コンベヤと、第１ホッパの舗装材を施工面に拡散させる前側スクリュースプレッダおよび第２ホッパの舗装材を施工面に拡散させる後側スクリュースプレッダと、前側スクリュースプレッダで拡散された舗装材および後側スクリュースプレッダで拡散された舗装材を敷き均す前側スクリードおよび（または）後側スクリードとから成る舗装装置を備えた自走式舗装機械であって、前記舗装装置と自走用走行装置の各油圧アクチュエータに油圧ポンプを介して動力を供給するエンジンを搭載した自走式舗装機械において、
前記チャージングフィーダは、その長手方向の略中間位置に取付部を下方に突出して設け、舗装機械のハウスカバーの上部に設けた固定部に前記取付部を枢着ピンにて結合し、前記チャージングフィーダを着脱可能に形成することによって、舗装機械の運搬時にチャージングフィーダを取り外して積載重量を軽量化できるようにしたことを特徴とする自走式舗装機械。
【請求項２】
受入ホッパに投入された舗装材をチャージング用ホッパに積み込むチャージングフィーダと、前記チャージング用ホッパ内の舗装材を機体後方の施工面へ搬送するコンベヤと、該コンベヤで搬送された舗装材を施工面に拡散させるスクリュースプレッダと、該スクリュースプレッダで拡散された舗装材を敷き均すスクリードとから成る舗装装置を備えた自走式舗装機械であって、前記舗装装置と自走用走行装置の各油圧アクチュエータに油圧ポンプを介して動力を供給するエンジンを搭載した自走式舗装機械において、
前記チャージングフィーダは、その長手方向の略中間位置に取付部を下方に突出して設け、舗装機械の前記チャージング用ホッパの前部に設けた固定部に前記取付部を枢着ピンにて結合し、
該固定部は、前記チャージング用ホッパの前部に固定された下部ブラケットと、該下部ブラケットに設けられた前後方向の支持軸と、該支持軸に対して左右揺動可能に取り付けられた上部ブラケットと、該上部ブラケットの左右両端部に設けられて、前記枢着ピンを回動自在に支持する軸受部とから成り、前記チャージングフィーダを着脱可能に形成することによって、舗装機械の運搬時にチャージングフィーダを取り外して積載重量を軽量化できるようにしたことを特徴とする自走式舗装機械。
【発明の詳細な説明】
【技術分野】
【０００１】
本発明は自走式舗装機械に関するものであり、特に、受入ホッパに投入された舗装材を単数又は複数のチャージング用のホッパに積み込むチャージングフィーダを備えた自走式舗装機械に関するものである。
【背景技術】
【０００２】
従来、１回の舗装作業で複数種類の舗装材を敷き均す場合、複数のホッパとスクリードを搭載した舗装機械が使用される（例えば、特許文献１、２、３参照）。
【０００３】
特許文献１は、標準に搭載されているベースホッパを取り外し、その取り外した位置に、下層用舗装材を貯留する第１ホッパと上層用舗装材を貯留する第２ホッパとを備えた付属ホッパ装置を取り付けるとともに、標準に搭載されているベーススクリードの後部位置に、レベリングアームと付属スクリードとを備えた付属スクリード装置を取り付ける構成が開示されている。
【０００４】
特許文献２は、支持層材料用の材料蓄え容器（ホッパ）とカバー層材料用の材料蓄え容器とを搭載し、それぞれの材料を別々の敷設プレート（タンパプレート）で敷設する構成であり、中継蓄え容器からベルトコンベヤによってそれぞれの材料蓄え容器へ交互に供給する構成が開示されている。
【０００５】
特許文献３は、前側ホッパ（第１ホッパ）と後側ホッパ（第２ホッパ）とが自走車両に設けられた敷均機械（舗装機械）において、舗装材の積込フィーダ（チャージングフィーダ）が積込フレームの下端を受入ホッパに連結して設けられ、積込フレームの下端と排出端との中間部分に排出口が形成され、排出口に開閉蓋が開閉自在に設けられた舗装材の積込装置が、積込フィーダの排出口を前側ホッパの上方に、積込フィーダの排出端を後側ホッパの上方にそれぞれ位置させて自走車両に搭載された敷均機械が開示されている。
【先行技術文献】
【特許文献】
【０００６】
【特許文献１】特許第３５４８１２９号公報
【特許文献２】特表２００２−５０４６３６号公報（第７〜９頁、図７〜図９）
【特許文献３】特許第３４７１５９７号公報
【発明の概要】
【発明が解決しようとする課題】
【０００７】
特許文献１は、必要に応じて、付属ホッパ装置および付属スクリード装置を取り付けることにより、複数層の敷き均しを行うことができるが、ホッパに舗装材を供給するチャージングフィーダを取り付ける構造にはなっていない。
【０００８】
特許文献２は、敷設装置を組付けることにより、複数の材料蓄え容器（ホッパ）とチャージングフィーダを備えて、中継蓄え容器からそれぞれの材料蓄え容器へ交互に供給することができるが、敷設装置を組付ける際に、既設の材料蓄え容器や運転席を取り外す必要がある。
【０００９】
特許文献３は、チャージングフィーダが枢着ピンで支持され、起倒用シリンダの作動で上下に起倒できるように形成されている。したがって、積込装置の不使用時に積込フィーダの高さを低くでき、敷均機械をトレーラに積載して輸送する際に、積載高さを低く抑えることができる。しかし、チャージングフィーダの枢着ピンの結合部分が、前側ホッパの凹部に囲われているため、枢着ピンを引き抜いてチャージングフィーダを着脱することは極めて困難である。
【００１０】
ここで、アスファルトなどの舗装材を第１ホッパと第２ホッパに収容し、１回の舗装作業で１乃至２種類の舗装材を敷き均すためには、大きなエンジン出力が必要であり、一般に、２つのエンジンを搭載している。したがって、敷均機械の重量が嵩むことになる。
【００１１】
従来の此種大型の舗装機械は、エンジン出力が132〜140kw程度のエンジンを２基搭載しており、重量が27〜28トンになる。舗装機械を積載するトレーラも大型であるため車両重量が22〜23トンあり、舗装機械を積載したトレーラの総重量は49〜51トンにもなる。
【００１２】
国内の道路を通行する車両は、道路法により車両の幅や総重量などに制限が課せられており、一般的制限値を超える車両は、道路管理者の許可（特殊車両通行許可）が必要になる。特殊車両通行許可の取得については幾つかの段階があり、総重量が45トンを超えると下記のように許可申請が難しくなる。
【００１３】
このような理由から、総重量を45トン以下に抑えるために、舗装機械自体の重量を23トン程度まで軽量化することが望まれている。舗装機械を小型にして軽量化を図ることも考えられるが、その場合は、舗装幅や施工時間などの舗装能力が低下することになる。
【００１４】
そこで、従来と同程度の舗装能力を保持したまま、チャージングフィーダを着脱可能に形成し、舗装機械の運搬時にはチャージングフィーダを取り外すことにより、積載状態をコンパクトにするとともに積載重量を軽量化して、特殊車両通行許可の取得を容易にするために解決すべき技術的課題が生じてくるのであり、本発明はこの課題を解決することを目的とする。
【課題を解決するための手段】
【００１５】
本発明は上記目的を達成するために提案されたものであり、請求項１記載の発明は、受入ホッパに投入された舗装材を第１ホッパまたは第２ホッパに積み込むチャージングフィーダと、前記第１ホッパまたは第２ホッパの舗装材を機体後方の施工面へ搬送する各コンベヤと、第１ホッパの舗装材を施工面に拡散させる前側スクリュースプレッダおよび第２ホッパの舗装材を施工面に拡散させる後側スクリュースプレッダと、前側スクリュースプレッダで拡散された舗装材および後側スクリュースプレッダで拡散された舗装材を敷き均す前側スクリードおよび（または）後側スクリードとから成る舗装装置を備えた自走式舗装機械であって、前記舗装装置と自走用走行装置の各油圧アクチュエータに油圧ポンプを介して動力を供給するエンジンを搭載した自走式舗装機械において、
前記チャージングフィーダは、その長手方向の略中間位置に取付部を下方に突出して設け、舗装機械のハウスカバーの上部に設けた固定部に前記取付部を枢着ピンにて結合し、前記チャージングフィーダを着脱可能に形成することによって、舗装機械の運搬時にチャージングフィーダを取り外して積載重量を軽量化できるようにしたことを特徴とする自走式舗装機械を提供する。
【００１６】
この構成によれば、チャージングフィーダの下方へ突出して設けられた取付部が、ハウスカバーの上部に設けた固定部に枢着ピンにて結合されており、該枢着ピンの結合部分がハウスカバーから露出しているため、枢着ピンの引き抜きあるいは挿入操作が容易であり、チャージングフィーダが着脱可能に形成されている。したがって、舗装機械、例えば、マルチペーバの運搬時にはチャージングフィーダを取り外すことにより、積載状態がコンパクトになるとともに、積載重量も軽量化できる。
【００１７】
また、大能力を必要とする施工では、チャージングフィーダを取り外してエンジンの負荷を軽減し、舗装材の供給は別の専用機械を使用する。一方、大能力を必要としない施工では、機械本体にチャージングフィーダを一体的に取り付けて、該チャージングフィーダにて舗装材を供給しながら施工する。
【００１８】
請求項２記載の発明は、受入ホッパに投入された舗装材をチャージング用ホッパに積み込むチャージングフィーダと、前記チャージング用ホッパ内の舗装材を機体後方の施工面へ搬送するコンベヤと、該コンベヤで搬送された舗装材を施工面に拡散させるスクリュースプレッダと、該スクリュースプレッダで拡散された舗装材を敷き均すスクリードとから成る舗装装置を備えた自走式舗装機械であって、前記舗装装置と自走用走行装置の各油圧アクチュエータに油圧ポンプを介して動力を供給するエンジンを搭載した自走式舗装機械において、
前記チャージングフィーダは、その長手方向の略中間位置に取付部を下方に突出して設け、舗装機械の前記チャージング用ホッパの前部に設けた固定部に前記取付部を枢着ピンにて結合し、
該固定部は、前記チャージング用ホッパの前部に固定された下部ブラケットと、該下部ブラケットに設けられた前後方向の支持軸と、該支持軸に対して左右揺動可能に取り付けられた上部ブラケットと、該上部ブラケットの左右両端部に設けられて、前記枢着ピンを回動自在に支持する軸受部とから成り、前記チャージングフィーダを着脱可能に形成することによって、舗装機械の運搬時にチャージングフィーダを取り外して積載重量を軽量化できるようにしたことを特徴とする自走式舗装機械を提供する。
【００１９】
この構成によれば、チャージングフィーダの下方へ突出して設けられた取付部が、チャージング用ホッパの前部に設けた固定部に枢着ピンにて結合されており、該枢着ピンの結合部分がチャージング用ホッパから露出しているため、枢着ピンの引き抜きあるいは挿入操作が容易であり、チャージングフィーダが着脱可能に形成されている。したがって、舗装機械、例えば、アスファルトフィニッシャの運搬時にはチャージングフィーダを取り外すことにより、積載状態がコンパクトになるとともに、積載重量も軽量化できる。
【００２０】
また、大能力を必要とする施工では、チャージングフィーダを取り外してエンジンの負荷を軽減し、舗装材の供給は別の専用機械を使用する。一方、大能力を必要としない施工では、機械本体にチャージングフィーダを一体的に取り付けて、該チャージングフィーダにて舗装材を供給しながら施工する。更に、チャージングフィーダは枢着ピンを介して機体側の固定部に回動自在に連結されているので、チャージングフィーダのピン連結部分はユニバーサルジョイント機構と同様な作用を有し、車輪にて走行中に道路の凹凸面に柔軟に追従して動作する。
【発明の効果】
【００２１】
請求項１記載の発明は、チャージングフィーダが枢着ピンの結合にて着脱容易に形成されているので、例えば、マルチペーバ等の運搬時にはチャージングフィーダを取り外すことにより、積載状態がコンパクトになるとともに、積載重量も軽量化できる。したがって、特殊車両通行許可の取得が容易となる。
【００２２】
また、チャージングフィーダの着脱操作が容易であることから、大能力の施工では舗装材の供給は別の専用機械を使用し、チャージングフィーダを取り外してエンジンの負荷を軽減することが可能である。
【００２３】
請求項２記載の発明は、チャージングフィーダが枢着ピンの結合にて着脱容易に形成されているので、請求項１記載の発明の効果と同等の効果、即ち、例えば、アスファルトフィニッシャ等の運搬時にはチャージングフィーダを取り外すことにより、積載状態がコンパクトになると共に積載重量も軽量化でき、トレーラ等によるアスファルトフィニッシャ等の搬送が容易となる。
【００２４】
また、チャージングフィーダの着脱操作が容易であることから、大能力の施工では舗装材の供給は別の専用機械を使用し、チャージングフィーダを取り外してエンジンの負荷を軽減することが可能である。更に、チャージングフィーダの回動自在なピン連結部分は、自在継ぎ手機構と同様な役割を奏しうるので、構造がきわめて簡単でありながら、路面上の凹凸を車輪にて走行する場合でも、該凹凸面に応じてチャージングフィーダは容易、且つ、円滑に追従動作することができる。
【図面の簡単な説明】
【００２５】
【図１】本発明に係る自走式舗装機械の実施例１としてチャージングフィーダを取り付けた状態のマルチペーバを示す側面図。
【図２】実施例１に係るチャージングフィーダの取付部分の拡大図であり、（Ａ）は側面図、（Ｂ）は正面図。
【図３】図１のチャージングフィーダを取り外した状態のマルチペーバを示す側面図。
【図４】本発明に係る自走式舗装機械の実施例２としてチャージングフィーダを取り付ける前の状態のアスファルトフィニッシャを示す概略構成を示す側面図。
【図５】実施例２に係るアスファルトフィニッシャにチャージングフィーダを取り付けた状態を示す要部平面図。
【図６】図５のＢ矢視図。
【図７】実施例２に係るチャージングフィーダの取付部分の拡大図であり、（Ａ）は側面図、（Ｂ）は正面図。
【発明を実施するための形態】
【００２６】
本発明は、従来と同程度の舗装能力を保持したまま、チャージングフィーダを着脱可能に形成し、舗装機械の運搬時にはチャージングフィーダを取り外すことにより、積載状態をコンパクトにするとともに積載重量を軽量化して、特殊車両通行許可の取得を容易にするという目的を達成するために、受入ホッパに投入された舗装材を第１ホッパまたは第２ホッパに積み込むチャージングフィーダと、前記第１ホッパまたは第２ホッパの舗装材を機体後方の施工面へ搬送する各コンベヤと、第１ホッパの舗装材を施工面に拡散させる前側スクリュースプレッダおよび第２ホッパの舗装材を施工面に拡散させる後側スクリュースプレッダと、前側スクリュースプレッダで拡散された舗装材および後側スクリュースプレッダで拡散された舗装材を敷き均す前側スクリードおよび（または）後側スクリードとから成る舗装装置を備えた自走式舗装機械であって、前記舗装装置と自走用走行装置の各油圧アクチュエータに油圧ポンプを介して動力を供給するエンジンを搭載した自走式舗装機械において、前記チャージングフィーダは、その長手方向の略中間位置に取付部を下方へ突出して設け、舗装機械のハウスカバーの上部に設けた固定部に前記取付部を枢着ピンにて結合し、前記チャージングフィーダを着脱可能に形成した。
【実施例１】
【００２７】
以下、本発明の自走式舗装機械について好適な実施例を挙げて説明する。図１は自走式舗装機械の一例としてマルチペーバ１０を示す側面図である。該マルチペーバ１０は左右一対のクローラ１１に支持された車体（機体）１２を有し、該車体１２には前記クローラ１１の略中央位置の上部にエンジン１３が搭載されている。当該舗装機械が自走する際は、前記エンジン１３のエンジン出力により、走行装置を構成する走行モータ１４が回転して、クローラ１１が駆動されて車体１２が自走する。
【００２８】
マルチペーバ１０は、１回の舗装作業で異なる２種類の舗装材を同時にまたは同種類の舗装材を同時に上下２層に敷き均すことができるように、それぞれの舗装材を収容するための複数のホッパと、敷き均し装置が備えられている。同図に示すように、車体１２の前部（図中左方部）に第１ホッパ１５が設けられ、該第１ホッパ１５の後上部に、第２ホッパ１６が設けられている。すなわち、エンジン１３の前側で低い位置に第１ホッパ１５が設置され、エンジン１３の後側で高い位置に第２ホッパ１６が設置されている。
【００２９】
前記車体１２の前側には、舗装材の受入ホッパ１７とチャージングフィーダ１８が設けられている。チャージングフィーダ１８は、前部を低く後部を高く傾斜して取り付けられている。チャージングフィーダ１８はエンジン１３の必要なエンジン出力にて駆動され、ダンプカー（図示せず）から受入ホッパ１７に投入された舗装材をチャージングフィーダ１８の上方へ移送する。
【００３０】
ここで、チャージングフィーダ１８には移送経路の途中に排出口１８ｂが開閉自在に設けられており、排出口１８ｂを閉鎖した状態では、受入ホッパ１７から移送されてくる舗装材はすべてチャージングフィーダ１８の上端まで移送され、上端に設けた排出部１８ａから舗装材を排出して第２ホッパ１６へ供給する。
【００３１】
排出口１８ｂを閉鎖した状態では、受入ホッパ１７からチャージングフィーダ１８の一番高い位置まで舗装材を移送するため、第２ホッパ１６へ舗装材を供給するときは、チャージングフィーダ１８を高速運転でフル稼働し、前記エンジン１３の１台分のエンジン出力を必要とする。
【００３２】
これに対して、チャージングフィーダ１８の排出口１８ｂを開放すると、受入ホッパ１７から移送されてくる舗装材が途中に設けた排出口１８ｂから排出されて、第１ホッパ１５に収容される。排出口１８ｂを開放した状態では、受入ホッパ１７から移送されてくる舗装材は、すべて第１ホッパ１５に収容されるが、チャージングフィーダ１８の低い位置までしか舗装材を移送しないので、チャージングフィーダ１８は低速運転でよく、必要とされるエンジン出力は比較的少ない。
【００３３】
また、チャージングフィーダ１８は枢着ピン１９にて車体１２に支持されており、該枢着ピン１９を回動中心として上下に起倒自在に形成されている。枢着ピン１９の結合部分がハウスカバー２０から露出しているため、後述するように、枢着ピン１９の引き抜きあるいは挿入操作が容易であり、チャージングフィーダ１８が着脱可能に形成されている。
【００３４】
ここで、前記第２ホッパ１６は第１ホッパ１５よりも収容量が大に形成され、ほぼ２倍の収容量を有している。例えば、第１ホッパ１５の収容量が３ｍ3であるとすれば、第２ホッパ１６の収容量は６ｍ3程度となる。これは、前述したように、第２ホッパへ舗装材を供給するときは大きなエンジン出力を必要とするため、異なる２種類の舗装材を敷き均す場合に、予め第２ホッパ１６に多量の舗装材を収容しておき、マルチペーバ１０の自走中は第２ホッパ１６へ舗装材を供給しないようにするためである。
【００３５】
チャージングフィーダ１８の駆動にて第１ホッパ１５に収容される舗装材は、バーフィーダコンベヤ（図示せず）の駆動により前側スクリュースプレッダ２２へ送られて道路の施工面に拡散され、該前側スクリュースプレッダ２１で拡散された舗装材は前側スクリード２２で敷き均される。また、第２ホッパ１６に収容された舗装材は、車体１２の進行方向に回転軸が設置されたスクリューコンベヤ２３の駆動により後側スクリュースプレッダ２４へ送られて道路の施工面に拡散され、該後側スクリュースプレッダ２４で拡散された舗装材は後側スクリード２５で敷き均される。
【００３６】
大能力を必要としない施工では、上述したように、車体１２にチャージングフィーダ１８を一体的に取り付け、該チャージングフィーダ１８にて舗装材を補給しながら、車体１２が自走して舗装作業を行う。これに対して、大能力を必要とする施工では、前述したように、枢着ピン１９を引き抜いてチャージングフィーダ１８を取り外し、エンジンの負荷を軽減した状態にし、舗装材の供給は別の専用機械を使用する。
【００３７】
図２は、チャージングフィーダ１８の取付部分の拡大図であり、チャージングフィーダ１８は、その長手方向の略中間位置に取付部４０を下方へ突出して設け、ハウスカバー２０の上部に設けられている固定部５０に枢着ピン１９にて結合されている。
【００３８】
前記取付部４０は、チャージングフィーダ１８の底面部の幅方向に垂設され左右一対のブラケット４１，４１からなり、一方、前記固定部５０は、ハウスカバー２０の上面部の前後方向に離間して立設された一対の下部ブラケット５１，５１と、該下部ブラケット５１，５１間の前後方向に設けられた支持軸５２と、該支持軸５２に対して幅方向に揺動可能に取り付けられた上部ブラケット５３と、該上部ブラケット５３の左右両端に設けられて、前記枢着ピン１９の両端部を支持する軸受部５４とから構成されている。なお、符号４２，５５はそれぞれ回り止めである。
【００３９】
次に、本発明に係るマルチペーバ１０を運搬する場合は、道路法による特殊車両通行許可の取得を容易にするために、チャージングフィーダ１８を取り外して、積載状態をコンパクトにするとともに積載重量を軽量化する。
【００４０】
前述したように、チャージングフィーダ１８が枢着ピン１９にて結合されており、該枢着ピン１９の結合部分がハウスカバー２０から露出しているため、枢着ピン１９の引き抜きあるいは挿入操作が容易である。
【００４１】
例えば、図示しないクレーンによってチャージングフィーダ１８を吊り下げ状態に支持し、前記枢着ピン１９の回り止め４２を外して枢着ピン１９を何れか一方へ引き抜けば、前記取付部４０と固定部５０とのピン結合が解除されて、チャージングフィーダ１８を容易に取り外すことができる。
【００４２】
斯くして、図３に示すように、チャージングフィーダ１８を取り外したマルチペーバ１０は、積載状態がコンパクトになるとともに積載重量も軽量化でき、運搬に際して特殊車両通行許可の申請が簡単になり、許可の取得までの時間も短縮される。また、昼間の通行および高速道路の通行が可能となるので、搬送が容易となる。
【実施例２】
【００４３】
次に、本発明の自走式舗装機械としてアスファルトフィニッシャに適用した他の実施例を図４乃至図７に従って説明する。尚、本実施例に係るアスファルトフィニッシャは、前記実施例と同様に、舗装装置と自走用走行装置の各油圧アクチュエータに油圧ポンプを介して動力を供給するエンジンが搭載され、アスファルトフィニッシャが自走する際は、エンジンの出力により、後輪及び前輪が回転してアスファルトフィニッシャが自走するように構成されている。
【００４４】
図４に示すように、アスファルトフィニッシャ６０の舗装装置は、走行用車輪６６，６６付きの受入ホッパ６７（図５参照）に投入された舗装材Ｋが積み込まれるチャージング用ホッパ６１を備え、チャージング用ホッパ６１はアスファルトフィニッシャ６０の前部に設置されている。
【００４５】
そして、アスファルトフィニッシャ６０の下部におけるチャージング用ホッパ６１の後方には、該チャージング用ホッパ６１に積み込まれた舗装材Ｋを機体後方の道路施工面へ搬送するコンベヤ６２と、該コンベヤ６２で搬送された舗装材Ｋを道路施工面に拡散させるスクリュースプレッダ６３と、該スクリュースプレッダ６３で拡散された舗装材Ｋを道路施工面上に平滑に敷き均すスクリード６４とが順次設けられている。
【００４６】
図５はアスファルトフィニッシャ６０の前側にチャージングフィーダ６８を取り付けた状態を示す。チャージングフィーダ６８は、受入ホッパ６７に投入された舗装材をチャージング用ホッパ６１に積み込むものであって、前部よりも後部が高くなるように所定角度で傾斜している。
【００４７】
又、チャージングフィーダ６８は、図６に示すように、無端チェーンにて回転移動する移送用コンベア５７を備え、エンジン５８の出力にて駆動されることにより、ダンプカー５９から受入ホッパ６７に投入された舗装材をチャージングフィーダ６８の上方へ移送する。そして、チャージングフィーダ６８の上端部に設けた排出端から舗装材を排出することで、チャージング用ホッパ６１内に舗装材が積み込まれる。
【００４８】
図７（Ａ），（Ｂ）はチャージングフィーダ６８の取付部分の拡大図である。尚、チャージングフィーダ６８の取付部分の基本的な構成は、上記図２（Ａ），（Ｂ）の構成と一部を除いて同様であるので、それと同様な構成要素については同一符号を付して説明するものとする。前記チャージングフィーダ６８は、その長手方向の略中間位置に取付部４０を下方へ突出して設けられている。又、該取付部４０は、チャージング用ホッパ６１の前端部に設けられている固定部５０に枢着ピン１９にて結合されている。
【００４９】
前記取付部４０は、チャージングフィーダ６８の底面部の幅方向（機体の左右幅方向ＬＲ）に垂設された左右一対のブラケット４１，４１からなる。一方、前記固定部５０は、チャージング用ホッパ６１の前端部、図示例では前端側鉛直面（チャージング用ホッパ６１の前端部上面も可能）に固設され、且つ、前後方向に互いに離間する一対の突起部５１Ａ，５１Ａを有する下部ブラケット５１と、該一対の突起部５１Ａ，５１Ａ間に設けられた前後方向の支持軸５２と、該支持軸５２に対して前記左右幅方向に揺動可能に取り付けられた上部ブラケット５３と、該上部ブラケット５３の左右両端部に設けられて、前記枢着ピン１９を回動自在に支持する軸受部５４,５４とから成り、前記チャージングフィーダ６８をアスファルトフィニッシャ６０の機体に対して着脱可能に形成した。本実施例に係る軸受部５４,５４は、上記枢着ピン１９の左右両端部を回動自在、且つ、所定量だけ軸移動できるように、若干の遊びをもって枢着ピン１９を水平に支持している。なお、符号４２，５５はそれぞれ回り止めである。
【００５０】
叙上の如く本発明によると、チャージングフィーダ６８の下方へ突出して設けられた取付部４０が、チャージング用ホッパ６１の前端部に設けた固定部５０に枢着ピン１９にて結合されているので、該枢着ピン１９の結合部分がチャージング用ホッパ６１から露出している。このため、枢着ピン１９の引き抜き操作若しくは挿入操作が容易であり、チャージングフィーダ６８が着脱可能に形成されている。斯くして、アスファルトフィニッシャ６０の運搬時にはチャージングフィーダ６８を取り外すことにより、積載状態がコンパクトになると共に積載重量も軽量化でき、依って、例えば、トレーラ等によるアスファルトフィニッシャ６０の搬送が容易となるメリットを有する。
【００５１】
また、大能力を必要とする施工の場合では、チャージングフィーダ６８を取り外してエンジン５８の負荷を軽減し、舗装材の供給は別の専用機械を使用する一方、大能力を必要としない施工の場合では、機械本体にチャージングフィーダ６８を一体的に取り付けて、該チャージングフィーダ６８にて舗装材を供給しながら施工することができる。
【００５２】
又、チャージングフィーダ６８は枢着ピン１９を介して回動可能かつ軸移動自在に連結されているので、構造が極めて簡単でありながら、チャージングフィーダ６８のピン連結機構はユニバーサルジョイント機構と同様な自在継ぎ手として機能しうる。従って、チャージングフィーダ６８の前端部が車輪６６，６６にて道路上の凹凸面を走行する場合でも、該凹凸面に応じてチャージングフィーダ６８がフレキシブルに上下動及び左右動して容易迅速かつ円滑に追従動作することができる。
【００５３】
なお、本発明は、本発明の精神を逸脱しない限り種々の改変を為すことができ、そして、本発明が該改変されたものに及ぶことは当然である。
【産業上の利用可能性】
【００５４】
本発明は、受入ホッパに投入された舗装材を単数又は複数のホッパに積み込むチャージングフィーダを備えた自走式舗装機械であれば、マルチペーバ及びアスファルトフィニッシャに限らず、コンクリートフィニッシャ等の他の自走式舗装機械にも全て適用可能である。
【符号の説明】
【００５５】
１０  マルチペーバ（自走式舗装機械）
１１  クローラ（走行装置）
１２  車体
１３  エンジン
１４  走行モータ（走行装置）
１５  第１ホッパ
１６  第２ホッパ
１７  受入ホッパ
１８  チャージングフィーダ
１９  枢着ピン
２０  ハウスカバー
２１  前側スクリュースプレッダ
２２  前側スクリード
２３  スクリューコンベヤ
２４  後側スクリュースプレッダ
２５  後側スクリード
４０  取付部
４１  ブラケット
５０  固定部
５１  下部ブラケット
５２  支持軸
５３  上部ブラケット
５４  軸受部
５８  エンジン
６０  アスファルトフィニッシャ（自走式舗装機械）
６１  チャージング用ホッパ
６２  コンベヤ
６３  スクリュースプレッダ
６４  スクリード
６６  車輪
６７  受入ホッパ
６８  チャージングフィーダ
【図１】
0004979721.tif 000002
【図２】
0004979721.tif 000003
【図３】
0004979721.tif 000004
【図４】
0004979721.tif 000005
【図５】
0004979721.tif 000006
【図６】
0004979721.tif 000007
【図７】
0004979721.tif 000008